(57)【要約】【課題】経済的で，軽く，携帯に便利，かつ，普通の眼鏡としてもサングラスとしても，必要に応じて使い分けられる新規なサングラスを提供する。【解決手段】サングラス効果を与えるために着色され，眼鏡のレンズ部の形状に合わせ易く，被せ易い形状に成型された透明粘着ゴムブロック素材から，眼鏡のレンズ部のサイズ，形状に合わせて加工して作られる透明粘着ゴムブロックを眼鏡のレンズ部に被せることで構成される。【選択図】図１
0003127506.tif 000002
【実用新案登録請求の範囲】
【請求項１】
サングラスの効果を与えるために，ブルーやグレーに着色され，眼鏡のレンズ部の上下間より短く，レンズ部の左右間より長いサイズで，かつ，上下の両端部に沿って折り返し構造を有する透明粘着ゴムブロック素材を用いて，眼鏡のレンズ部のサイズ，形状に合わせて加工した透明粘着ゴムブロックを，上下方向に引き伸ばして眼鏡のレンズ部に被せるとともに，眼鏡のレンズ部の上下の両端を，透明粘着ゴムブロックの上下の折り返し構造にはめ込むことで，透明粘着ゴムブロックが眼鏡のレンズ面に密着して剥がれ難く，経済的で軽く，携帯に便利，かつ，普通の眼鏡としてもサングラスとしても必要に応じて使い分けられる透明粘着ゴム型サングラス。
【考案の詳細な説明】
【技術分野】
【０００１】本考案は透明粘着ゴムを用いて，直接，眼鏡に着脱自在に取り付けられる透明粘着ゴム型サングラスに関する。
【背景技術】
【０００２】従来，サングラスは，眼鏡の枠と着色レンズで構成されている。これ以外にもセルロイドや硬質プラスチックなどで構成されたものが，金属フックなどで眼鏡の枠に取り付けられて使用されるサングラス両用の眼鏡も有る。
【考案が解決しようとする課題】
【０００３】近視や遠視などの度が入った眼鏡を使用している人がサングラスを購入する場合は，自分に合った度の入ったサングラスを購入する必要があり，かなり高額になる。また，眼鏡の枠に金属フックなどで取り付けるプラスチックなどの眼鏡と併用するサングラスは，本体の眼鏡との大きさや形状の違いに違和感が有るともに，多様な形状や種類の眼鏡に装着することには難が有る。また，紫外線を受けて着色する，調光レンズを用いたサングラス両用型の眼鏡は，レンズの屈折率が一般のレンズに比較して低いため，レンズが厚く，重くなるとともに，遠近両用タイプを作り難いなどの問題を有している。本考案は，かかる問題を一挙に解決するものであり，使用している眼鏡に，着色された透明粘着ゴムブロックを被せることで，経済的で，軽く，携帯に便利，かつ，普通の眼鏡としてもサングラスとしても，必要に応じて使い分けられる新規なサングラスを提供する。
【課題を解決するための手段】
【０００４】サングラス効果を与えるために，ブルーやグレーなどに着色され，眼鏡のレンズ部の形状に合わせ易く，被せ易い形状に成形された透明粘着ゴムブロック素材から，眼鏡のレンズ部の形状に合わせて加工した透明粘着ゴムブロックを眼鏡のレンズ部に被せることで構成される。
【考案の効果】
【０００５】本考案は，平素から使用している眼鏡を必要に応じて簡単にサングラスに変更する新規な方法を提案することで，従来の各種課題を一挙に解決するものである。サングラス効果を有する透明粘着ゴムブロックを眼鏡のレンズ部に被せることにより，経済的で，軽く，携帯に便利な，透明粘着ゴム型サングラスを提供する。本サングラスは伸縮性と粘着性を有する粘着ゴムを使用するため，取り付け，取り外しが簡単で再利用が出来るとともに，普通の眼鏡として，またはサングラスとして必要に応じて使い分けられるため，自分に合った度数の使い慣れたメガネをサングラスとしても使用できる大きな利点を有している。
【考案を実施するための最良の形態】
【０００６】本考案に係る透明粘着ゴム型サングラスは，図１に示すように透明粘着ゴムブロック素材を眼鏡の左右のレンズ部それぞれのサイズ，形状に合うように加工した透明粘着ゴムブロック１ならびに２をそれぞれのレンズ部に被せてサングラスを構成する。レンズ部は図２に示すように，レンズ３，５とレンズ周辺枠４，６を含む。ａはレンズ部の左右間のサイズ，ｂはレンズ部の上下間のサイズを示している。図３はサングラス効果を与えるためにブルーやグレーに着色された，透明粘着ゴムブロック素材を示す。透明粘着ゴムブロック素材は透明粘着ゴムブロック１ならびに２の素材であり，左右間のサイズｃは，透明粘着ゴムブロックを形成する時に加工するために，レンズ部の左右間のサイズａより長く，上下間のサイズｄはレンズ部に引き伸ばして被せるために，レンズ部の上下間のサイズｂより短い。上下の両端にはレンズ部の上下の端面をはめ込むために，折り返し構造７が形成されている。透明粘着ゴムブロック素材の左右は，カッターなどで眼鏡の左右間のサイズならびに形状に合わせる加工がなされて，図４に示す透明粘着ゴムブロックが作られる。このようにして形成された透明粘着ゴムブロックを上下方向に引き伸ばすとともに，レンズ部の上下の端面を折り返し構造の隙間にはめ込んで，レンズ部を透明粘着ゴムブロックで被う。眼鏡の左右のレンズ部それぞれに関して上記作業を行うことで，透明粘着ゴム型サングラスが構成される。【０００７】透明粘着ゴムブロックの左右の形状は，レンズ部の左右の形状にピッタリと合わせて加工することが望ましいが，直線状に加工しても実用的には問題は無い。図４は直線状に加工した透明粘着ゴムブロックの例を示し，図１は形状をピッタリ合わせて加工した透明粘着ゴムブロックをレンズ部に被せた例を示す。【０００８】サングラスを構成する時に，透明粘着ゴムブロックは上下方向に引き伸ばされ，かつ眼鏡のレンズ部の上下の両端面が折り返し構造にはめ込まれるため，眼鏡のレンズ面に完全に密着するとともに，折り返し構造により外れ難くずれ難い。かつ，眼鏡のレンズ部の多様な形状に対して合わせ易い。【０００９】本実施例では，眼鏡の左右のレンズ部に別々の透明粘着ゴムブロックを被せる構成としているが，左右を分離せずに左右一体の透明粘着ゴムブロックで構成することも出来る。
【実施例】
【００１０】次に本考案を実施例に基づいて説明するが，本考案は実施例に限定されるものではない。本考案に係る透明粘着ゴム型サングラスは図１に示すように，透明粘着ゴムブロック素材を眼鏡の左右それぞれのレンズ部に合うように加工された透明粘着ゴムブロック１ならびに２を左右それぞれのレンズ部に被せてサングラスを構成する。透明粘着ゴムブロック素材としては，伸縮性と粘着性を備えるウレタン系の合成ゴムを使用した。膜厚は０，２ｍｍとし，レンズ部の上下端面をはめ込む折り返し構造７の部分は，強度を考慮して２ｍｍの厚さとした。また，一般的な眼鏡のレンズ部の平均サイズは，上下間を４０ｍｍ，左右間を５０ｍｍと想定して，透明粘着ゴム素材はｄ＝３０ｍｍ，ｃ＝６０ｍｍとした。さらに，眼鏡のレンズ部の上下端面の厚さを３ｍｍと想定して，折り返し構造の隙間ｅ＝３ｍｍとした。なお，サングラス効果を持たせるため，透明粘着ゴムブロック素材はブルーに着色されている。【００１１】透明粘着ゴム素材の材質はウレタン系に限られることはなく，伸縮性と粘着性を備えた材質で着色できれば良い。また，一般的な眼鏡はサイズや形状が多種多様であり，多くの眼鏡に本考案を適用可能とするため，透明粘着ゴムブロック素材はサイズや膜厚，折り返し部の厚み，隙間などに関して複数の組み合わせを準備することが望ましい。
【図面の簡単な説明】
【００１２】
【図１】本考案の一実施例を示す外観斜視図である。
【図２】眼鏡のレンズ部を表す概念図である。
【図３】透明粘着ゴムブロック素材の外観斜視図である。
【図４】透明粘着ゴムブロックの外観斜視図である。
【符号の説明】
１  左レンズ部の透明粘着ゴムブロック
２  右レンズ部の透明粘着ゴムブロック
３  左レンズ部のレンズ
４  左レンズ部のレンズ周辺枠
５  右レンズ部のレンズ
６  右レンズ部のレンズ周辺枠
７  透明粘着ゴム素材の折り返し構造
ａ  レンズ部の左右間のサイズ
ｂ  レンズ部の上下間のサイズ
ｃ  透明粘着ゴムブロック素材の左右間のサイズ
ｄ  透明粘着ゴムブロック素材の上下間のサイズ
ｅ  透明粘着ゴムブロック素材の折り返し構造の隙間サイズ
【図１】
0003127506.tif 000003
【図２】
0003127506.tif 000004
【図３】
0003127506.tif 000005
【図４】
0003127506.tif 000006